(57)【特許請求の範囲】
【請求項１】
前面板の前縁（７）が一段低く形成された押出し成形体からなり、かつ背面板の背面を室内の既存壁面に水平方向に固定させるようにした略Ｈ形若しくは開口部を上向きとした略コ形断面のレール状の懸架装置本体（２）と、装置本体（２）の背面板の内面より前方に突設された係止爪片（８）と、被懸架体の上部背面に固定される略逆Ｌ字形断面の取付片（４）と、取付片（４）の背面に突設され、かつその先端部の上面が係止爪片（８）の下面に係合する係合片（１４）と、装置本体（２）の上部開口を覆う幅方向に長手の蓋部材（５）と、装置本体（２）の下部に長手方向に沿って形成される略あり溝状のハンガーレール部（１１）と、を備え、係合片（１４）を係止爪片（８）に係合することにより、取付片（４）に固定した被懸架体を装置本体（２）の前縁（７）と係止爪片（８）間に吊下状態に懸架させるようにしたことを特徴とする懸架装置。
【請求項２】
前記係合片（１４）は、下方向に傾斜状に突設され、その水平方向とした先端部（１５）が、前記係止爪片（８）の下面に係合されることを特徴する請求項１記載の懸架装置。
【請求項３】
前記取付片（４）は、前記懸架装置本体（２）と略同寸の長尺形状とされたことを特徴する請求項１又は２記載の懸架装置。
【請求項４】
前記取付片（４）は、前記懸架装置本体（２）よりも短寸とされた複数の取付片よりなることを特徴する請求項１又は２記載の懸架装置。
【請求項５】
前記装置本体（２）の背面板の内面上部には上下１対の突片（９）が水平方向に突設され、該上下１対の突片（９）の間を既存壁面に対する固定部とするとともに、略コ字形断面をなすカバー（１０）により、固定部を覆うことを特徴とする請求項１乃至４のいずれかに記載の懸架装置。
【請求項６】
前記装置本体（２）の上部開口は、幅方向に長手の前記蓋部材（５）で覆われ、この蓋部材（５）の下面には、前記取付片（４）の背面に当接する前当接片（１６）及び前記カバー（１０）前面に当接する後当接片（１７）が一体に形成されていることを特徴とする請求項５に記載の懸架装置。
【請求項７】
前記被懸架体の背面に、幅方向に長手の取付部材（６ａ）を介して弾性の間隔保持部材（６）を設け、該間隔保持部材（６）の先端を既存壁面に当接し、被懸架体の下部と、既存壁面間の間隔を保持するようにしたことを特徴とする請求項１乃至５のいずれかに記載の懸架装置。
【発明の詳細な説明】
【技術分野】
【０００１】
本発明は、懸架装置およびこれを用いて吊下状態に固定される内装壁板などの被懸架体装置に関する。
【背景技術】
【０００２】
既存の室内の内装を変更したり、新たに長押や、腰板、壁板を取付ける場合には、従来では、釘打ちなどの半永久固定手段などにより固定している。
【発明の開示】
【発明が解決しようとする課題】
【０００３】
例えば、店舗など、販売品目や、季節などに応じて、内装を頻繁に変更したり、壁面に新たな機能を付与する場合には、前記のような半永久固定手段を用いたのでは、その都度既存の壁面を撤去し、新たな壁面を固定する必要があり、作業に手数がかかり、作業コストも高いものとなっていた。居住用の室内、学校など公共施設においても同様の問題がある。
【０００４】
本発明は、以上の課題を解決するものであり、予め懸架装置を室内の既存壁面に固定しておくとともに、背面に該懸架装置に引掛け固定される取付片を介して内装壁板等の被懸架体を固定することにより、新たな壁面、あるいは壁面の一部を簡単に造作できるようにした懸架装置および内装壁板などの被懸架体装置を提供するものである。
【課題を解決するための手段】
【０００５】
前記目的を達成するため、本発明は、前面板の前縁７が一段低く形成された押出し成形体からなり、かつ背面板の背面を室内の既存壁面に水平方向に固定させるようにした略Ｈ形若しくは開口部を上向きとした略コ形断面のレール状の懸架装置本体２と、装置本体２の背面板の内面より前方に突設された係止爪片８と、被懸架体の上部背面に固定される略逆Ｌ字形断面の取付片４と、取付片４の背面に突設され、かつその先端部の上面が係止爪片８の下面に係合する係合片１４とを備え、係合片１４を係止爪片８に係合することにより、取付片４に固定した被懸架体を装置本体２の前縁７と係止爪片８間に吊下状態に懸架させるようにしたことを特徴とする懸架装置にある。
【０００６】
前記係合片１４は、下方向に傾斜状に突設され、その水平方向とした先端部１５が、前記係止爪片８の下面に係合されることを特徴する。
【０００７】
前記取付片４は、前記懸架装置本体２と略同寸の長尺形状とされたことを特徴する。
【０００８】
また、前記取付片４は、前記懸架装置本体２よりも短寸とされた複数の取付片により構成させることもできる。
【０００９】
上記本発明によれば、被懸架体に固定した取付片４を、予め既存壁面に固定した懸架装置本体２に係合固定させることにより、被懸架体を着脱自在に既存壁面に固定させることができる。この時、被懸架体の自重が、係合片１４を介して係止爪片８の下面に掛かることから、その係合固定状態が安定する。また、係合片１４を下方向に傾斜状に突設させることにより、被懸架体に固定した取付片４の懸架装置本体２内への挿入長さを短くでき、その係合固定作業が容易となる。
【００１０】
前記装置本体２の背面板の内面上部には上下１対の突片９が水平方向に突設され、該上下１対の突片９の間を、固定具Ｂによる、既存壁面に対する固定部とするとともに、略コ字形断面をなすカバー１０により、固定部を覆うことを特徴とする。
【００１１】
カバー１０の存在により、美観が保持されるだけでなく、装置本体２の開口上部内に電気等の配線を収納させた場合、配線が固定具Ｂに引っ掛かるということがない。
【００１２】
前記装置本体２の底板の下部に略溝状のハンガーレール部１１を一体に有していることを特徴とする。
ハンガーレール部１１には、照明具１９やランナーフック２０等を吊り下げ支持することができる。
【００１３】
前記装置本体２の上部開口は、幅方向に長手の蓋部材５で覆われ、この蓋部材５の下面には、前記取付片４の背面に当接する前当接片１６及び前記カバー１０前面に当接する後当接片１７が一体に形成されていることを特徴とする。
【００１４】
カバー１０の存在により、装置本体２の上部開口からゴミが侵入することを防止できる他、本懸架装置を、既存内壁面の中段部に設けて、腰板などを懸架させる場合には、美観を保持させることができる。
カバー１０を用いずに、装置本体２の上部開口に洋服などのハンガーを掛けて使用することもできる。
【００１５】
前記被懸架体の背面に、幅方向に長手の取付部材６ａを介して弾性の間隔保持部材６を設け、該間隔保持部材６の先端を既存壁面に当接し、被懸架体の下部と、既存壁面間の間隔を保持するようにしたことを特徴とする。
これにより、被懸架体の取付状態が安定する。
【００１６】
本発明は、上記懸架装置を用いて前記既設壁面に懸架される前記被懸架体としての被懸架体装置を特徴としている。被懸架体の背面上部には前記取付片４が固定され、既存壁面には水平方向に前記懸架装置本体２が固定され、被懸架体を取付片４を介して懸架装置本体２に懸架させる。
【００１７】
前記被懸架体として内装壁板又は長押を懸架させる場合には、懸架装置本体２を既設内壁面の上部に設ける。また、被懸架体として腰板を懸架させる場合には、懸架装置本体２を既設内壁面の中位部に設ける。
【発明の効果】
【００１８】
本発明によれば、装置本体２を既存壁面に固定しておく一方、取付片４を被懸架体の背面に固定しておけば、被懸架体の取付は、係合片１４を装置本体２の係止爪片８に引掛け係止するだけで、ワンタッチで行うことができ、また撤去作業も容易に行うことができる。この時、被懸架体の自重が、係合片１４を介して係止爪片８の下面に掛かることから、その係合固定状態が安定する。また、係合片１４を下方向に傾斜状に突設させることにより、被懸架体に固定した取付片４の懸架装置本体２内への挿入長さを短くでき、その係合固定作業が容易となる。
【００１９】
また、装置本体２のねじ止め固定部がカバー１０によって隠されるため、見栄えが良好となり、装置本体２の開口上部に配線を収納させる場合にも固定具が邪魔になるということがない。
【００２０】
本発明によれば、ハンガーレール部１１内に洋服や帽子など吊り下げ用のランナーフック２０などを吊下げ支持することができる。また、蓋部材５を省略した装置本体２の開口上部に洋服や帽子などのハンガーなどを懸架させ、装置本体２の長手方向の任意の位置に吊下げることもできる。
【００２１】
本発明によれば、蓋部材の存在により、懸架装置を見下ろすような用途、例えば腰板として使用する場合に装置本体２の上部内側が覆われるため、見栄えがよく、ホコリ等の侵入がない。
【００２２】
本発明によれば、弾性の間隔保持部材６を用いることにより、例えば内壁板のように、既存壁面２を覆うような縦方向に長い被懸架体を取付ける場合に、その下部側を間隔保持部材６によって安定支持できる。
【発明を実施するための最良の形態】
【００２３】
以下、本発明の実施の形態を添付図面を参照して説明する。
図１はパネル等、被懸架体取付用の各部品構成を示し、図２（ａ）〜（ｆ）はその取付手順を示している。各図において、取付用部品は、いずれもアルミなどの押出し成形体からなるレール状のものであり、家屋の既存内壁面（以下壁面と略称する）１の水平方向に沿って木ねじ等の固定具Ｂを介して取付けられる懸架装置本体２と、被懸架体３の上部背面に固定具Ｂを介して取付けられる取付片４と、被懸架体３の上端および装置本体２の上部を覆う蓋部材５、並びに被懸架体３が縦長の場合には、その背面下部に略断面コ字形の取付部材６ａを介して取付けられ、後端が壁面に当接するゴムなどの中空押出し成形体からなる弾性間隔保持部材６（図２では省略）を備えている。取付部材６ａは、凸字状など任意の形状とするこができる。
【００２４】
装置本体２は、断面略Ｈ形乃至開口部を上向きとした断面略コ形をなし、その前面板２Ａの前縁部７は、背面板２Ｂの上縁より一段と低く形成されており、前縁部７よりやや低めの位置において、装置本体２背面板２Ｂの内側には下向きの爪部を形成した係止爪片８が長手方向に沿って水平に形成されている。また背面板２Ｂの内側において前縁部７より高い位置には上下１対の突片９が突設され、両突片９で囲われた内側をねじ固定具Ｂの取付位置としており、この部分は、固定具Ｂにより装置本体２を壁面１に固定した後、内向きの爪部を形成した断面略コ字形のカバー１０を係合することによって隠される（図２（ａ），（ｂ）参照）。また装置本体２の底板２Ｃの下部にはその長手方向に沿ってあり溝状のハンガーレール部１１が一体に形成されている。
【００２５】
取付片４は、断面略Ｌ字形をなすものであり、その背面には、装置本体２の前縁部７上に設置される、係合片１４の水平基片１２と、基片１２の後部に下方に向けて傾斜状態に一体化された傾斜状の係合片１４と、係合片１４の後端に一体化された上向きの爪部を設けた先端部１５とを備え、取付片４を被懸架体３にねじ固定具Ｂを介して固定した後、その基片１２を装置本体２の前縁部７に接した状態で被懸架体３ごと後傾させ、その先端部１５を装置本体２の係止爪片８の下面に係合することによって、被懸架体３の壁面１への取付が完了する（図２（ｃ）〜（ｅ）参照）。
【００２６】
その後、必要に応じて蓋部材５を被懸架体３および装置本体２の上面に取付けることにより、取付作業を完了する（図２（ｆ）参照）。蓋部材５の下部前方側には、取付片４の垂直部に接する垂直な前当接片１６が突設され、後部側には、カバー１０に摺接する傾斜後当接片１７が突設されており、これら前当接片１６、後当接片１７の係合作用により、蓋部材５を安定的に設置できるようにしている。なお、この蓋部材５は、必要に応じて固定具Ｂを介して被懸架体３側に連結することもできる。
【００２７】
以上の構成において、被懸架体３は、木材単板、化粧合板などの木質材料であり、例えば長押などの場合には檜の単板または合板が用いられるほか、腰板や壁板などの場合、縦または横方向に多数接ぎ合わせた化粧合板などを用いることができる。被懸架体３として、看板や額縁など業務用又は自家用の板体を用いることもできる。
【００２８】
図３は、以上の構造における適用例を示している。図３（ａ）は長押に適用した例を示すものであり、この場合は、被懸架体３の高さ寸法は装置本体２の高さ寸法にほぼ等しく、室内の比較的高い位置に横設されるものであるため、蓋部材５は不要となる。蓋部材５を省略した、装置本体２レールの上部開口には、洋服等のハンガーを掛けることができる。また、下部にはハンガーレール部１１が露出するが、この部分に後述する照明具１９、ランナーフック２０などを取付けても良い。
【００２９】
図３（ｂ）は、被懸架体３を化粧用の腰板に適用した例を示すものであり、この場合には、上から見下ろすため蓋部材５を必要とする。また装置本体２の上部閉空間内に、１〜複数のコード、電源ケーブルなどの配線１８を引込むことによって配線の露出露出による見栄え低下を防止できるほか、被懸架体３の下部と壁面１の間に形成される空間内には、照明具１９を配置することが可能であり、被懸架体３によってシェードされた間接照明により、室内をより意匠的な空間として演出することができる。
【００３０】
図３（ｃ）は被懸架体３を縦方向の長さが長い壁板又は腰板に適用した場合を示すものである。この場合においては、被懸架体３の下部背面には固定具Ｂによって固定される略コ字形レール状の取付部材６ａを介して間隔保持部材６が取付けられ、その後端を壁面１に当接させていることにより、鉛直度を安定的に保持している。なお、本例では、上部側を蓋部材５で覆っているとともに、下部側も固定具Ｂを介して固定された同一断面の蓋部材５で覆った場合を示している。上部蓋部材５の内部は上記配線１８の収納空間として利用できる。尚、被懸架体３の縦方向長さが室内の高さ方向のほぼ全長に亘る場合には、これら蓋部材５を必ずしも必要としない。蓋部材５を省略した、装置本体２レールの上部開口には、洋服等のハンガーを掛けることができる。
【００３１】
図３（ｄ）は、被懸架体３を洋服掛け兼用の腰板に適用した場合を示すものであり、この場合には、ランナーフック２０をハンガーレール部１１に嵌合し、紙面と直交する長手方向移動可能に配置している。また、被懸架体３の表面側にはねじ込み式のハンガーフック２１を突設している。本例では、  被懸架体３をハンガーフック用の取付用壁として用いるのに好適である。
【００３２】
以上各実施形態に述べた被懸架体３の縦寸法は、その用途に応じて種々変更でき、またその表面の意匠形状も自由に設定できるので、特に商品や、季節に応じて売場雰囲気や什器の配置変更をその都度要求される店舗用の仮設内装材として好適である。また、各種看板や額縁など、種々の用途に適応できる。
【図面の簡単な説明】
【００３３】
【図１】本発明に係る懸架装置の各部品構成を示す分解斜視図である。
【図２】（ａ）〜（ｆ）は同取付手順を示す側断面図である。
【図３】（ａ）〜（ｄ）は適用例を示す側断面図である。
【符号の説明】
【００３４】
１  既存壁面
２  懸架装置本体、２Ａ  前面板、２Ｂ  背面板、２Ｃ  底板
３  被懸架体
４  取付片
５  蓋部材
６ａ  取付部材
６  間隔保持部材
７  前縁部
８  係止爪片
９  突片
１０  カバー
１１  ハンガーレール部
１２  基部
１４  係合片
１５  先端部
１６  前当接片
１７  後当接片
１８  配線
１９  照明具
２０  ランナーフック
１  ハンガーフック
Ｂ  固定具
【図１】
0004714238.tif 000002
【図２】
0004714238.tif 000003
【図３】
0004714238.tif 000004